(57)【要約】【課題】  従来ＤＶＤカメラでは、再生互換の為にファイナライズが必要であった。また、シャッターチャンスを逃さない為にファイナライズ処理の中でＤＶＤメニューを作成していた。しかし、ＢＤを記録媒体としたカメラにおいて、ＢＤプレーヤの再生互換の為にはファイナライズは必要ない。つまり、ユーザが意図的にファイナライズ処理を実行する必要が無い為、ＢＤではメニューを作成する機会を失うことになる。この場合、メニューが無い為に、ＢＤプレーヤで自分の好きなシーンを選択して再生することができないなどの不便さがあった。【解決手段】  前記課題を解決するため、ＢＤを記録媒体としたカメラにおいて、ＢＤプレーヤの再生互換の為にファイナライズが必要ない場合でも規格に準拠したメニューを作成する為に、自動、もしくはマニュアルでファイナライズ処理のアプリケーションを準備することでユーザが快適に再生を楽しめるディスクを提供できる。【選択図】  図１
2009129484.tif 000002
【特許請求の範囲】
【請求項１】
記録媒体に対して規格に準拠した記録または再生を行なう情報記録再生装置であって、
ファイナライズを必要としない記録媒体に対して、ファイナライズ処理を行ない、
前記ファイナライズ処理を行なう際、規格に準拠した情報を生成し、
前記記録媒体へ前記規格に準拠した情報を記録することを特徴とする情報記録再生装置。
【請求項２】
請求項１記載の情報記録再生装置であって、
前記規格に準拠した情報とは、前記規格に準拠したメニューデータであり、
前記メニューデータは、前記規格に準拠した再生装置で表示できることを
特徴とする情報記録再生装置。 
【請求項３】
複数の記録媒体に対応したドライブ装置を搭載し、前記記録媒体に応じた規格に準拠した記録再生を行なうことが可能な情報記録再生装置であって、
前記記録媒体の一つがＤＶＤであり、他の記録媒体がＢＤである場合、ＤＶＤだけでなくＢＤにも、ユーザの要求があった時、もしくは自動的に、ファイナライズ処理を行なうことを特徴とした情報記録再生装置。
【請求項４】
請求項３記載の情報記録再生装置であって、
前記ＢＤでのファイナライズ処理を行なうことでＢＤＭＶのサブセットに準拠したメニューデータを生成することを特徴とした情報記録再生装置。
【請求項５】
請求項４記載の情報記録再生装置であって、
前記ＤＶＤでは、ビデオレコーディングフォーマットやビデオフォーマットだけでなくＡＶＣＨＤフォーマットで記録することを特徴とした情報記録再生装置。
【請求項６】
請求項２または請求項５いずれか１項に記載の情報記録再生装置であって、
前記メニューデータは、ＡＶＣＨＤフォーマットのファイナライズ処理で生成されるメニューデータのデザイン、データ、処理と共通した部分を有することを特徴とした情報記録再生装置。
【請求項７】
請求項２または請求項５いずれか１項に記載の情報記録再生装置であって、
前記メニューデータは、ＤＶＤのファイナライズ処理で生成されるメニューデータと同じデザイン、データ、処理を使用することを特徴とした情報記録再生装置。
【請求項８】
請求項６または請求項７いずれか１項記載の情報記録再生装置であって、
書き換え型のＡＶＣＨＤ、ＤＶＤだけでなく、書き換え型のＢＤでもファイナライズ処理を行なうとそれ以降追記をさせないことを特徴とした情報記録再生装置。
【請求項９】
請求項８記載の情報記録再生装置であって、
ファイナライズ処理を解除すれば追記が可能となることを特徴とした情報記録再生装置。
【請求項１０】
請求項９において、ＨＤＤにＢＤの規格に準拠したフォーマットで記録することが可能であることを特徴とした情報記録再生装置。
【請求項１１】
ＢＤ、ＤＶＤ、ＨＤＤに対応したドライブ装置を搭載し、記録した映像の記録媒体への読み書きを制御する装置と、各ブロックの調停や判定、また全体を管理するシステム制御用ＣＰＵと、指示された記録フォーマットを実現する為のフォーマット制御部と、各規格に準拠したコーデック制御を行なうシステム制御部を備えたビデオカメラにおいて、
ＢＤの場合にも自動、もしくはマニュアルでファイナライズ処理を行ない、その時に生成するＢＤ規格に準拠したメニューデータをＡＶＣＨＤやＤＶＤのファイナライズ処理の際に生成するメニューデータ、もしくはデザインと共通化することが可能なビデオカメラ。
【請求項１２】
ＢＤ−ＲＥに情報を記録又は、ＢＤ−ＲＥから情報を再生可能なビデオカメラであって、
被写体の像を結像し、電気信号に変換する光電変換手段と、
ＢＤ−ＲＥに対してファイナライズ処理を行なうファイナライズ実行手段とを有することを特徴とするビデオカメラ。
【請求項１３】
請求項１２記載のビデオカメラであって、
前記ファイナライズ実行手段により、ファイナライズ処理を行なう際、ＢＤＭＶのサブセットに準拠した第１のメニューデータを生成することを特徴とするビデオカメラ。
【請求項１４】
請求項１３記載のビデオカメラであって、
ＤＶＤに対してＡＶＣＨＤフォーマットで情報を記録又は再生可能であり、
前記ファイナライズ実行手段は、前記ＤＶＤに対しても、ファイナライズ処理を行なうことが可能であることを特徴とするビデオカメラ。
【請求項１５】
請求項１４記載のビデオカメラであって、
前記第１のメニューデータは、ＡＶＣＨＤフォーマットのファイナライズ処理で生成される第２のメニューデータの一部分と共通したデザイン、データ又は処理を有することを特徴とするビデオカメラ。
【請求項１６】
請求項１２から１５いずれか１項に記載のビデオカメラであって、
前記ファイナライズ実行手段によりファイナライズを行なうための操作ボタンまたは操作メニューを有することを特徴とするビデオカメラ。
【発明の詳細な説明】
【技術分野】
【０００１】
本発明は、ＤＶＤ／ＢＤやＨＤＤを搭載したディスク記録再生装置に関するものである。
【背景技術】
【０００２】
昨今、ビデオカメラの世界では、上書きの心配がないことや映像検索の容易さなどの理由から、記録媒体はテープからディスクへと移行してきている。また、記録媒体はＤＶＤだけでなく、ＨＤＤ（Hard Disc Drive）や半導体メモリを搭載する製品も登場してきている。参考までに、ＤＶＤにデータを記録するフォーマットの例を特許文献１に紹介しておく。今後は媒体の更なる大容量化や高画質化（ＨＤ化）が求められてくる。最近では大容量化と高画質化を実現すべく、ＢＤＡ（Blu-ray Disc Association）で策定された次世代光ディスク規格Ｂｌｕ−ｒａｙＤｉｓｃ（BD）を採用した記録機も登場してきており、今後ビデオカメラでの適用も容易に推察される。
【０００３】
また、ビデオカメラでの高画質化の一つの技術として、従来のＳＤ（Standard Definition）画像に代わりＨＤ（High Definition）画像の記録機能が求められている。しかし、現行のＤＶＤでは、ＨＤ画像を記録することが許可されていない為、このままではＨＤの画質を楽しむことはできない。もしＨＤ画像を記録するのであれば、従来ＤＶＤにＨＤ画像を記録することが可能なＡＶＣＨＤ規格、もしくはＢＤＡで策定されているＢＤ等に記録するしかない。ＡＶＣＨＤ規格は、主に民生用のカメラで適用されており、カメラでもＨＤ画像を記録することが可能となる。また、ＤＶＤだけでなくＳＤカードやＨＤＤ（ハードディスク）への記録も想定されている。ただし、このＡＶＣＨＤ規格では従来のＤＶＤに記録する為に撮影時間があまり長くできない。８ｃｍのＤＶＤは約１．４ＧＢであるから、ＨＤ画像を９Ｍｂｐｓで記録したとすると２０分程度しか撮影できない。レートを下げたり２層のディスクを使用することも可能ではあるがそれでも４０分弱程度しか撮影できない。ところが、８ｃｍのＢＤの容量は約７ＧＢ強となる為、撮影時間がＤＶＤに比べて約４倍以上となる。その為、ＨＤ記録に対応したビデオカメラではＢＤディスクを採用するのがユーザにとって有利と容易に推察される。
【０００４】
【特許文献１】特開２００３−３０８６７５
【発明の開示】
【発明が解決しようとする課題】
【０００５】
上記説明したようにＢＤの記録再生に対応したカメラがユーザにとって利便性が高いと考える。しかし、まだＢＤに対応したビデオカメラが存在しない状態では、ＨＤ画像で映像を残しておくにはＡＶＣＨＤ対応カメラを使用するしかない。その為ＢＤカメラが登場するまではＡＶＣＨＤで記録したディスクが増え続けることになる。今後ＢＤカメラが登場した時にＡＶＣＨＤの再生互換があれば非常に便利である。また、ＢＤディスクの発売当初はＤＶＤディスクよりも値段が高い為、ＤＶＤを使ってＨＤ記録、つまりＡＶＣＨＤで記録することも可能であれば尚良い。つまり、今後ＢＤカメラが登場した時にも、従来資産であるＡＶＣＨＤディスクに対応できる、つまりＡＶＣＨＤ記録再生互換機能をもつことがユーザにとって非常にメリットがでてくる。
【０００６】
ＡＶＣＨＤの記録フォーマットは、ＢＤ規格のフォーマットと非常に似ており、ほとんどの制御ソフトウェア（ライブラリ）やハードウェア資産を共通化して活用できる。これらを利用することによりＡＶＣＨＤ規格に対応したＢＤカメラを実現する為の開発工数や期間を削減することが可能となる。もちろん、従来のＤＶＤの資産も流用することにより従来のＤＶＤへの記録・再生にも対応することができる。
【０００７】
更にファイナライズ処理時に生成するプレーヤ互換の為のビデオメニューについても共通化が可能である。従来ＤＶＤカメラにおけるファイナライズ処理とは、ＤＶＤプレーヤとの互換を保つためにデータを整形する処理のことである。ビデオフォーマットに対応しているＤＶＤ−ＲやＤＶＤ−ＲＷやビデオレコーディングフォーマットに準拠しているＤＶＤ＋ＲＷやＤＶＤ＋Ｒの場合に必要となる。具体的にはＤＶＤ−ＲＯＭ互換の為に物理的にデータを直径方向に７０ｍｍまでダミーデータを書き込んだり、管理情報やファイルシステムを整形したり、ＤＶＤメニューを生成したりする。図２は、各媒体と対応するメニューのイメージ図である。２３０がメニュー画面であるが、ＢＤ，ＡＶＣＨＤ，ＤＶＤのどの場合でも統一したメニューデザインとすることでＯＳＤのデータや内部の処理などを共通化できる。
【０００８】
しかし、ＢＤ（ＢＤ−ＲＥ）の場合には、従来互換の為に必要だった物理的なダミーデータの記録は必要がない為、ユーザが意図的にアプリケーションで準備されているファイナライズ処理を選択しなくてもファイルシステムを介してデータの取り込み等が可能である。つまり、再生互換という意味ではファイナライズ処理を行なわなくても良い（そのようにしなければならない）。ただし、追記禁止の情報をディスクに記録することが可能なのでそれをファイナライズ処理の一部として実行してもかまわないし、実際にカメラで適用する場合、ファイナライズ処理の後は追記をさせないというのが一般的だったが、ＢＤでも同様に、前記の追記禁止の情報、もしくはファイルシステムなどの追記禁止情報などを用いることで製品としてのポリシー（ファイナライズ処理をしたら追記はさせない）を貫くことができる。さらには、ＢＤ−ＲＥに対しファイナライズを行ない、追記禁止することで、記録した映像を保護することができる。上記述べてきたファイナライズ処理というのは、カメラのナビゲーション画面から選択できる処理のことであり、当然媒体ごとに処理内容は変わるものである。
【０００９】
書き換え型のようなＢＤ−ＲＥでは、ファイナライズ処理解除（追記情報を変更するなど）を通して再度追記を可能とすることもできるが、ＢＤ−Ｒの場合には、追記型媒体なので一度ファイナライズ処理を行なうと、基本的には再度追記はできない。また、ＤＶＤ−Ｒの場合には、未ファイナライズ状態は規定が無かった為、プレーヤ互換は基本的には保証されない。ところが、ＢＤ−Ｒの場合には、ＢＤプレーヤと互換が取れるようになっている。つまり、ＢＤ−ＲＥ，ＢＤ−Ｒとも再生互換と言う意味では、ユーザが意図的にカメラ画面のプルダウンメニューからファイナライズ処理を選択しなくてもＢＤプレーヤとの互換を取ることは可能である。しかし、このままではメニューが無い為、プレーヤにかけた時に先頭シーンからしか再生できない可能性が高い。この時にＢＤに準拠したメニューデータ（撮影したシーンのサムネール表示されたもの）があれば自分の撮影したシーンを好きなところから再生することが可能となり、ユーザにとっては非常に使い勝手が良くなる。ＢＤとＤＶＤではデータの構成などは異なるが、これは既存プレーヤのＤＶＤメニューと同じような使い方と言えばわかりやすいかもしれない。ただし、このメニューデータの生成にはシーンの情報や画面を構成する背景のＯＳＤデータ、更に管理情報などを生成する必要がある為に時間がかかるのが一般的である。カメラの場合には、レコーダと異なりシャッターチャンスが重要である。その為にディスクを挿入してから記録するまでの時間や記録停止時の処理に時間がかかることは問題である。よって記録停止後にメニューのデータをいちいち作成していたらシャッターチャンスを逃してしまいユーザに不利益をもたらしてしまう可能性が高い。そこでカメラとしては、記録する前後のタイミングではなく、ユーザが意図的に行なうファイナライズ処理中にプレーヤ互換の為のメニューデータを生成することでシャッターチャンスを逃さないようにする。こうすれば、シャッターチャンスを逃すことなく、ユーザが欲しい時にメニューを生成でき、快適なＢＤプレーヤでの再生を楽しむことができる。
【００１０】
もちろん、メニュー作成の時間がシャッターチャンスを逃さない程度の時間であったのならば、Ｅｊｅｃｔ時に自動的に生成してもかまわない。この場合であれば意図的にファイナライズ処理をしなくても良いので更にユーザには優しい仕様となる。
【００１１】
本明細では、上記説明したように、ＢＤカメラにおいて、規格に準拠したメニューをファイナライズ処理の中で処理、もしくはＥｊｅｃｔ時に自動的に生成することにより、シャッターチャンスを逃さずに快適なＢＤプレーヤでの再生を楽しむ情報記録再生装置を提供することができる。
【課題を解決するための手段】
【００１２】
上記装置を実現する為に、複数の記録媒体に対応したドライブ装置を搭載し、前記記録媒体に応じた規格に準拠した記録再生を行なうことが可能な情報記録再生装置において、前記記録媒体がファイナライズを必要としない場合であっても、規格に準拠した情報を生成する為、または、規格に準拠した再生装置での互換を可能とする為に、ユーザの要求があった時、もしくは自動的に、ファイナライズ処理を行ない、規格に準拠したメニューの生成を行なう情報記録生成装置を提供する。
【発明の効果】
【００１３】
本発明により、利便性・使い勝手の向上した情報記録再生装置を提供することができる。
【発明を実施するための最良の形態】
【００１４】
以下、図１から図４を参照して本発明の実施形態について説明する。
図１はカメラ一体型記録装置のブロック図である。
図１において、１００は、ユーザが操作する操作部であり、録画／停止キーやズームキー、記録モードの選択キーなどを含む。１０１はシステム制御部であり、多重／分離処理や各種フォーマット制御、媒体へのリードライトの制御、その他各部を統括して制御する。１１０は被写体の像を結像するための光学レンズと結像した光を電気信号に変換するための光電変換手段であるＣＣＤセンサもしくはＣＭＯＳセンサ、１１１は映像の電気信号をデジタル信号に変換するＡ／Ｄ変換器、１１２はデジタル信号に変換された画像情報を映像信号に変換するための処理を行なう信号処理部、１１３は映像信号をＭＰＥＧ２やＨ．２６４のような所定の符号化方式に従って圧縮及び伸張処理する映像圧縮伸張部である。１１４は、映像を表示する表示部である。尚、この表示部１１４ファインダ内の表示部と、ビデオカメラの筐体の外側に設けられた可動式の表示部とに分けてもよい。また、１２０は集音した音声を電気的な音声信号に変換するマイク、１２４は音声を発生するスピーカ、１２１は音声信号を増幅するアンプ、１２２は音声の電気信号をデジタル信号に変換するＡ／Ｄ変換器（Ｄ／Ａ変換器）、１２３は、デジタル音声を、ＤｏｌｂｙＤｉｇｉｔａｌやＭｐｅｇのような所定の符号化方式に従って圧縮及び伸張処理する音声圧縮伸張部、１３１は映像圧縮伸張部１１３で生成された動画圧縮ストリーム、及び音声圧縮伸張部１２３で生成された音声圧縮ストリームとを多重化する多重化部、１３０は映像圧縮伸張部１１３が圧縮処理した画像データ、及び音声圧縮伸張部１２３により圧縮処理された音声データ、及びこれらの多重化されたデータを一時的に記憶する大容量のメモリである。また、ＡＴＡＰＩ／ＡＴＡ部１３２は特定の規格に従ったインターフェース部、１４１は光ディスク、例えばＢＤであり、ＤＶＤ等である。また、１４２はＨＤＤ（ハードディスク）等の記録媒体である。媒体Ｒ／Ｗ制御部１３３は、記録媒体ＢＤ、もしくはＤＶＤ１４１やＨＤＤ１４２に記録再生するための動画像のデータファイルを、所定のファイル形式でリードライトする為の制御を行なう。
【００１５】
１５０は記録媒体の種類を識別してＢＤＭＶのサブセットやＶＲフォーマット，ＶＦフォーマット及びＡＶＣＨＤフォーマット等、各種のフォーマットに準拠した情報を生成するフォーマット制御部である。更にファイナライズの際には、管理情報やファイルシステムの互換の為の整形を行なう。ファイナライズの際に生成するメニューデータを生成するのが１５１の共通メニュー生成部である。１３４は、ＭＭＣ制御部であり、ＳＤカードのようなＭＭＣインターフェースをもつ媒体１４３に記録する場合に使用される。通常は静止画の記録を行なうが、多重／分離部の結果を所定のフォーマットに変換してから動画データを記録しても良い。
【００１６】
ここで、映像圧縮伸張部１１３、音声圧縮伸張部１２３、多重／分離部１３１、フォーマット制御部１５０、及びシステム制御部１００の各機能は、好ましくはマイクロプロセッサでプログラムが実行されることにより実現されるが、それらの一部又は全部がハードウェアで構成されてもよい。また、図１では制御線や情報線は説明上必要と考えられるものを示しており、製品上必ずしも全ての制御線や情報線を示しているとは限らない。実際には殆ど全ての構成ユニットが相互に接続されていると考えてよい。
【００１７】
次に、記録の動作について説明する。
操作部１００の操作によって動画撮影モードが選択された場合、システム制御部１００はその選択を認識してシステム全体を以下のように制御する。ＣＣＤもしくはＣＭＯＳセンサ１１０は駆動部（図示せず）により動画信号発生モードに駆動される。そして、光学レンズによって結像された像は、ＣＣＤもしくはＣＭＯＳセンサ１１０で電気信号に変換され、Ａ／Ｄ変換器１１１でデジタル信号に変換された後、信号処理部１１２で映像データに変換処理されて、その後、映像データは映像圧縮伸張部１１３で圧縮処理されるが、この圧縮処理はメモリ１３０と映像圧縮伸張部１１３との間で圧縮行程中の映像データをやりとりしながら、順次動画圧縮ストリームに変換処理する。一方、マイク１２０で集音された音声は、ＡＭＰ１２２とＡ／Ｄ変換器を通して音声圧縮伸張部１２３で圧縮処理され、メモリ１３０に一時記憶される。その後、メモリ１３０に記憶されている映像圧縮伸張部１１３で生成された動画圧縮ストリームと音声圧縮伸張部１２３で生成された音声圧縮ストリームは多重／分離部１３１で多重化処理され、その多重処理データはメモリ１３０に一時記憶される。この時、フォーマット制御部が規格に準拠したフォーマットを構築して、最終的に、多重処理データはメモリ１３０から出力され、媒体Ｒ／Ｗ制御部１３３及びＡＴＡＰＩ／ＡＴＡ部１３２を介して、所定の記録フォーマットで記録媒体ＤＶＤもしくはＢＤ１４１、及びＨＤＤ１４２に記録される。この場合、どちらか一方でも良いし、両方同時に記録してもかまわない。本実施例では、１４１はＢＤ−ＲＥであると想定する。ＨＤＤ１４２にＢＤ−ＲＥと同じアプリケーションフォーマット（ＢＤＭＶサブセット）で記録すればＨＤＤからＢＤへダビングを行なう時に効率良くデータ転送が行なえる利点もある。
【００１８】
次に、ユーザがＢＤのファイナライズを行なう場合の処理について図１と図３と図４を用いて説明する。
【００１９】
６シーンの記録が行われた後にフィナナライズ処理を行なう場合を想定する。
図３は、ユーザがファイナライズ処理を実行する為のプルダウンメニューについての図である。３００はカメラ独自のナビゲーション画面であり、撮影したシーンがサムネール表示されている。また使用媒体の情報も表示されている。３０１がプルダウンメニューであり、３０２はファイナライズ処理が選択されていることを示している。一般的にはＤＶＤやＢＤカメラでは使い勝手を考慮して規格のメニューは使用せず独自のナビゲーションメニューを使用していることが多い。本実施例も独自のナビゲーションメニューを使用していると想定している。ユーザが３０２のファイナライズを選択し、図示していない決定ボタンを実行するとファイナライズ処理が実行される。これらの実行は、プルダウンメニューに限らず、例えば装置に取り付けられたファイナライズを実行させるための操作ボタンにより実行されるようにしてもよい。これにより、ユーザは簡易にファイナライズ操作を行なうことができる。
【００２０】
図４は、ファイナライズ処理の制御を表すフローである。Ｓ４００は、開始指示を示し、Ｓ４０１はフォーマットの判定処理であり、Ｓ４１０はＤＶＤ用の管理情報生成処理であり、Ｓ４１１はダミーデータ処理であり、Ｓ４１２はＤＶＤ用のメニューデータ生成処理である。Ｓ４２０は、ＢＤＭＶ、もしくはＢＤＭＶサブセット用の管理情報生成処理であり、具体的には、ｉｎｄｅｘ．ｂｄｍｖ（どのようなタイトルでどのように再生するかなど記述）やＭｏｖｉｅｏｂｊｅｃｔ．ｂｄｍｖ（具体的な再生の方法などが記述）の生成または整形などを行なう。これらファイルはＢＤプレーヤ再生には必須である。他にもプレーヤで再生するのに必要な対応があればここで行なう。Ｓ４２２は、ＢＤ用のメニューデータ生成処理であり、具体的には、表示用のサムネールを作成し背景などを重ねあわせたものを圧縮し最終的にｘｘｘｘｘ.ｍ２ｔｓ（圧縮ストリーム）とｘｘｘｘｘ.ｃｌｐｉ（対応するｍ２ｔｓのストリーム情報）を作成する（ｘｘｘｘｘは、０からの昇順の数、また、メニューの場合にはファイナライズ前までに記録した番号＋１となる）。また、これらを管理する為のプレイリスト０ｙｙｙｙ．ｍ２ｔｓファイルを生成する（ｙｙｙｙは１２００から１９９９までがメニューとして番号予約してある）。例えば、２シーン記録した後にメニューを作成した場合は以下のようになる。
￥￥ＢＤＭＶ￥ＳＴＲＥＡＭ以下：
00000.m2ts・・・・１シーン目の映像音声データ
00001.m2ts・・・・２シーン目の映像音声データ
00002.m2ts・・・・上記２シーンのメニューデータ
￥￥ＢＤＭＶ￥ＣＬＩＰＩＮＦ以下：
00000.clpi・・・・00000.m2tsのストリームの管理情報（再生時間や位置など）
00001.clpi・・・・00001.m2tsのストリームの管理情報（再生時間や位置など）
00002.clpi・・・・00002.m2tsのストリームの管理情報（再生時間や位置など）
￥￥ＢＤＭＶ￥ＰＬＡＹＬＩＳＴ：
00000.mpls・・・・１シーン目と２シーン目のストリームの管理情報
01200.m2ts・・・・メニューデータストリームの管理情報
Ｓ４５０は、処理が終了したことを示す。
【００２１】
６シーン記録されている状態で、ユーザが図３のプルダウンメニューからファイナライズ処理を指示する。内部的には操作部１００から受けた情報をシステム制御部１０１で解読し、ファイナライズの処理と認識された後に各ブロックに処理を依頼する。記録されているフォーマットは、常にシステム制御部１０１が把握しており、必要に応じて情報を取得できる。また、ファイナライズ処理の中で行なうＢＤやＤＶＤの管理情報関係の処理はフォーマット制御部１５０で行ない、またファイルの整形やファイルシステムの整形などの処理は媒体Ｒ／Ｗ制御部１３３で行なう。
例えば記録媒体としてＢＤ−ＲＥに対して上述の操作を行なうことにより、ファイナライズ処理を実行することができる。この際、ＢＤ−ＲＥに対して追記禁止処理を行なってもよい。これにより、ＢＤ−ＲＥにファイナライズ処理を行なうことで、書き込んだデータを保護することができる。
【００２２】
また、本明細の特徴的なメニューの作成などは共通メニュー生成部１５１で行なう。具体的には、共通の背景のデータを準備して、その上にサムネールを貼り付けて、必要に応じて圧縮ストリームに変換する。例えば、ＤＶＤであればＭＰＥＧ２であり、またＢＤであればＨ．２６４の圧縮を行なって作成する。
例えばビデオカメラにおいて、このようにファイナライズ処理時にメニュー生成を行なうことで、シャッターチャンスを逃すことなく撮影を行なうことができ、ユーザにとって利便性が向上する。
【００２３】
図３でファイナライズが実行されるとＳ４００で処理が開始する。最初にフォーマットのチェックを行なう。これはフォーマットによってファイナライズの処理が異なる為である。まずＤＶＤのＶＲフォーマットの場合、これは基本的にはファイナライズ処理が必要ないので何もしない。但し、このＶＲ系のパスは、図３のプルダウンメニューでＶＲの時には表示させないようにすればここでは必要がない。次にＶＦフォーマットの場合であるが、これは既存のＤＶＤプレーヤでの再生互換の為に必要である。Ｓ４１０で規格に準拠した管理情報やファイルシステムの形式を整える。次にＳ４１１で物理的なＲＯＭの規格に準拠させる為に規定量だけダミーデータを記録する。最後にＳ４１２でＤＶＤ用のメニューを作成する。Ｓ４１０からＳ４１２の処理の順番は特に限定するわけではなく、必要に応じて変更してもかまわない。次にＢＤの場合であるが、このフォーマットはＢＤＭＶサブセットに準拠する必要があるが、ＡＶＣＨＤも基本構成はＢＤＭＶサブセットと同じである。このことから処理を統一することが可能である。
【００２４】
上記を踏まえ、Ｓ４０１でＢＤ，もしくはＡＶＣＨＤのフォーマットが選択されると、Ｓ４２０でＢＤＭＶサブセットの管理情報やファイルシステムを作成する。その後、Ｓ４２２でＢＤＭＶサブセット用のメニューを作成するが、ＡＶＣＨＤフォーマットにも準拠できるように構成しておく。また、この時にＳ４１２のＤＶＤメニュー作成で使用した背景データを必要に応じて使いまわすことで開発効率を上げることが可能である。例えば、アスペクト比４：３の背景データを準備しておいて、１６：９の場合には４：３のデータを引き伸ばして背景を準備することができる。アスペクト比の違いがあったとしても背景のデザインなどは同一にできるので統一性を持たせられる利点もある。
【００２５】
更に、Ｓ４５０の終了前に、ディスクの追記禁止の処理を実行してもかまわない。通常、ＤＶＤ系のファイナライズ処理では追記禁止としていたが、ＢＤ−ＲＥでもファイナライズ処理を行なうと追記禁止となる仕様の方が、製品としてポリシーを貫くことができる。これにより、ユーザにとっては混乱することなく操作することができ、使い勝手が良い。また、ＢＤ−ＲＥに書き込まれたデータを、保護することができる。もちろん、ＢＤ−ＲＥのように書き換え型の場合には、ファイナライズ解除すること、つまり追記を解除する機能をつけた方が更にユーザには優しい仕様となる。
【００２６】
図２は、実際のメニューのイメージ図である。２００はＢＤＭＶサブセットで記録されたＢＤであり、２１０はＡＶＣＨＤフォーマットで記録されたＤＶＤであり、２２０は従来のＶＦ，＋ＶＲ（ＶＦ準拠）で記録されたＤＶＤである。また、２０１、２１１，２２１はそれぞれの媒体がどのメニューでも使用できることを示す為の接続をイメージしたものである。２３０はメニュー全体を示している。２３１は撮影した映像のサムネールであり、２３２は、映像の撮影日時を示す。２３３はユーザのコマンド、つまり選択やページ送りの為のメニューである。２３４は、撮影した映像群のタイトルを表示している。これは、ユーザがファイナライズの時に指定できるようにしておく。もちろん、作成のタイミングは特に限定はしない。図４での処理が正常に実行されると図２で示すようなＤＶＤ，ＡＶＣＨＤ、ＢＤの場合で統一されたメニュー構成、デザインが実現できる。また、サムネールのアスペクト比の４：３と１６：９の違いや、ＳＤ（Standard  Definition）とＨＤ（High Definition）との違いなどからサムネールのつくりなどは若干変わることがあっても良い。
【００２７】
上記説明したように、ＢＤを記録媒体としたカメラにおいて、ＢＤプレーヤの再生互換の為にファイナライズが必要ない場合でも規格に準拠したメニューを作成する為に、自動、もしくはマニュアルでファイナライズ処理を行なうことでユーザが快適に再生を楽しめるディスクを提供できる。また、ＢＤのメニューの画面構成データ（ＯＳＤ）やデザイン、または生成処理をＤＶＤやＡＶＣＨＤと共通化することで開発工数を削減することができる。
【図面の簡単な説明】
【００２８】
【図１】本発明の実施例におけるシステムの構成図である。
【図２】本発明の実施例において作成されたメニューのイメージ図。
【図３】本発明の実施例においてユーザが行なうファイナライズ処理のイメージ図
【図４】本発明の実施例におけるファイナライズ処理のフロー図。
【符号の説明】
【００２９】
１００・・・操作部
１０１・・・システム制御部
１１０・・・映像入力部
１１１・・・ＡＤ／ＤＡ
１１２・・・信号処理部
１１３・・・映像圧縮伸張部
１１４・・・表示部
１２０・・・マイク
１２１・・・ＡＭＰ
１２２・・・ＡＤ／ＤＡ
１２３・・・音声圧縮伸張部
１２４・・・スピーカ
１３０・・・大容量メモリ
１３１・・・多重分離部
１３２・・・ＡＴＡＰＩ／ＡＴＡ部
１３３・・・媒体Ｒ／Ｗ制御部
１３４・・・ＭＭＣ制御部
１４１・・・ＤＶＤ／ＢＤ
１４２・・・ＨＤＤ
１４３・・・ＳＤカード
１５０・・・フォーマット制御部
１５１・・・共通メニュー生成部
２００・・・ＢＤ
２０１・・・ＢＤ接続イメージ用端子
２１０・・・ＡＶＣＨＤフォーマットのＤＶＤ
２１１・・・ＡＶＣＨＤ接続イメージ用端子
２２０・・・ＤＶＤ
２２１・・・ＤＶＤ接続イメージ用端子
２３０・・・メニューイメージ図
２３１・・・サムネール
２３２・・・撮影時間
２３３・・・コマンド群
２３４・・・タイトル
３００・・・ナビゲーション画面
３０１・・・プルダウンメニュー
３０２・・・ファイナライズ処理選択
Ｓ４００・・・ファイナライズ処理開始
Ｓ４０１・・・フォーマット選択判定部
Ｓ４１０・・・管理情報生成部
Ｓ４１１・・・ダミーデータ書き込み処理部
Ｓ４１２・・・ＤＶＤメニュー作成処理部
Ｓ４２０・・・管理情報生成部
Ｓ４２２・・・ＢＤメニュー作成部
Ｓ４５０・・・ファイナライズ処理終了
【図１】
2009129484.tif 000003
【図２】
2009129484.tif 000004
【図３】
2009129484.tif 000005
【図４】
2009129484.tif 000006